(57)【特許請求の範囲】
【請求項１】
バックホーの操作アーム等の操作手段に連結自在で前端側にバケット出入口を有するケーシングと、該ケーシングの後端側に備えたバケット出入動作用の油圧シリンダーと、前記油圧シリンダーにより内バケット出入口より出入自在で、かつ底板、背板及び両側板からなり前端側が開放された内バケットとを備え、移植草類の繁殖床の側部に前記ケーシングを位置させて前記内バケットをケーシング内より押し出すことにより該繁殖床が内バケットの断面形状に切り取られるようにしてなる草類移植装置。
【請求項２】
バックホーの操作アーム等の操作手段に連結自在で前端側にバケット出入口を有するケーシングと、該ケーシングの後端側に備えたバケット出入動作用の油圧シリンダーと、前記油圧シリンダーにより内バケット出入口より出入自在で、かつ底板、背板及び両側板からなり前端側が開放された内バケットと、該内バケットの前端開口部を上下にスライドして開閉するシャッターとを備え、移植草類の繁殖床の側部に前記ケーシングを位置させて前記内バケットをケーシング内より押し出すことにより該繁殖床が内バケットの断面形状に切り取られるとともに、前記シャッターの押し下げにより内バケット内の採取繁殖床の前端が切断されるようにしてなる草類移植装置。
【請求項３】
内バケットの底板を前後にスライド自在となし、該内バケットの押し出し位置にて前記底板を油圧シリンダーにて後方へスライドさせることにより内バケット底部を開放自在にしてなる請求項１に記載の草類移植装置。
【請求項４】
内バケットの背板と底板後端部とに同時に、及び底板後端部のみのいずれかを選択して油圧シリンダーに連結自在となすとともに、内バケットの両側板上縁にそれぞれスライドアームを取り外し自在に設け、該両スライドアームにシャッター及びシャッター駆動機構を支持させ、かつ前記両スライドアームを内バケットの押し出し位置でケーシングに固定自在にしてなる請求項２に記載の草類移植装置。
【請求項５】
ケーシングの後端側に内バケットの背板部に取り外し自在に連結した内バケット出入動作用油圧シリンダーと、該内バケットの底板の後端に取り外し自在に連結した底板出入動作用油圧シリンダーとを備えてなる請求項２に記載の草類移植装置。
【発明の詳細な説明】
【０００１】
【発明の属する技術分野】
本発明は主として水底に生息する草類、例えば海中に生息するアマモ、コアマモ、タチアマモ等のアマモ類や、湖沼、湿地、汽水域に生息するヒシ、ネジレモ等の水草類を移植するための草類移植装置に関する。
【０００２】
【従来の技術】
一般に、アマモ類の栄養株の移植方法は、アマモ類の栄養株を海中の繁殖床から採取し、移植予定地点まで運搬した後、海底に植え付け、あるいは設置する工程からなる。
【０００３】
株の採取方法には潜水士により１株づつ丁寧に採取したり、水中ジェット等により土砂を削除しながら採取する人力による方法と、グラブバケットにより繁殖床ごと採取する機械的方法がある。
【０００４】
また株の植え付け方法には人力によるものとして、アマモ葉体部の浮力による流失を防止するために、粘土を地下茎部に結着する粘土結着法や、竹釘やテープで海底に固定するプラグ法、経時的に腐食分解する材料を使用したポットに植え付けたものや、ネットに結束したものを潜水士が手作業で植え付けたり、海上から投入したりする方法がある。
【０００５】
また機械力による植え付け方法にはむしろや、経時的に腐食分解性のあるマット上に、予めアマモ類の株を繁殖床用底土と一緒に植え付けておき、これをクレーン等を用いて海底に設置する、いわゆるむしろ方がある。
【０００６】
【発明が解決しようとする課題】
上述した従来の人力による採取や植え付け方法では、大規模なアマモ場を短期間に移植したい場合には、労力と費用がかさむため現実的に実施が困難である。また単株単位で取り扱うため、移植先の底質環境を同質としておく必要があり、このため予め底質改善が必要となる。
【０００７】
一方従来の機械的方法では、施工効率や費用の面で人力による場合に比べて優位であるが、アマモ類の葉体、地下部の切断などによる直接的な損傷が生じ易く、また底土の撹乱や設置時の振動及び流水のために、波浪や潮流によって株が流失し易くなり、移植後の活性が悪い。
【０００８】
更に人力、機械力のいずれによる場合も、群落として存続していた状態から一旦株を分割するため、本来の地下茎部の絡まりによる相乗的な固着力の低下が生じ、流れ等の対流性が低減し、活着力が悪い等の問題があった。
【０００９】
本発明はこのような従来の問題に鑑み、生物的、底質環境的にダメージを与えず大規模な移植を迅速に行え、移植先の底質改良が不要で、更に適性設置水深の調整を容易に行い得る草類移植装置の提供を目的としてなされたものである。
【００１０】
【課題を解決するための手段】
上述の如き従来の問題を解決し、所期の目的を達成するための本発明の特徴は、バックホーの操作アーム等の操作手段に連結自在で前端側にバケット出入口を有するケーシングと、該ケーシングの後端側に備えたバケット出入動作用の油圧シリンダーと、前記油圧シリンダーにより内バケット出入口より出入自在で、かつ底板、背板及び両側板からなり前端部が開放された内バケットとを備え、移植草類の繁殖床の側部に前記ケーシングを位置させて前記内バケットをケーシング内より押し出すことにより該繁殖床が内バケットの断面形状に切り取られるようにしてなる草類移植装置にある。
【００１１】
尚、上記装置において、内バケットの前端開口部を上下にスライドして開閉するシャッターを備え、該シャッターの押し下げにより内バケット内の採取繁殖床の前端が切断されるようにしてもよく、また、内バケットの底板を前後にスライド自在となし、該内バケットの押し出し位置にて前記底板を油圧シリンダーにて後方へスライドさせることにより内バケット底部を開放自在にすることが好ましく、更にその場合、内バケットの背板と底板後端部とに同時に、及び底板後端部のみのいずれかを選択して油圧シリンダーに連結自在となすとともに、内バケットの両側板上縁にそれぞれスライドアームを取り外し自在に設け、該両スライドアームにシャッター及びシャッター駆動機構を支持させ、かつ前記両スライドアームを内バケットの押し出し位置でケーシングに固定自在にすることが好ましい。更に、ケーシングの後端側に内バケットの背板部に取り外し自在に連結した内バケット出入動作用油圧シリンダーと、該内バケットの底板の後端に取り外し自在に連結した底板出入動作用油圧シリンダーとを備えてもよい。
【００１２】
【作用】
本発明装置の使用に際しては、天然もしくは栽培した移植草類の繁殖床の側部にケーシングが所定の深さに入り得る溝を掘り、内バケットをケーシング内に収容した状態で開口部を繁殖床側に向けて挿入する。
【００１３】
次いで内バケット出入動作用の油圧シリンダーにより内バケットを前進させ、ケーシング外に押し出すことにより、繁殖床は内バケットの断面形状、即ち内バケットの両側板部によって縦方向に、底板によって水平方向に切断され、草類が繁殖床ごと内バケット内に採取される。そしてシャッターを降下させて内バケットの前端開口部を閉鎖することにより、内バケット内に採取された繁殖床の先端部が切断され外部の繁殖床と分離される。この状態で内バケット出入動作用の油圧シリンダーを引き込み側に動作させることにより、繁殖床を収容して内バケットがケーシング内に収容される。
【００１４】
次いでケーシングを台船等の仮置き場所に移動させ、ケーシング内よりバケットを押し出し出入動作機構と分離させることにより、内バケットをケーシングから離し、内部に繁殖床を収容した状態で仮置きできる。
【００１５】
移植場所への設置は、予め底板をスライド可能とした内バケットを使用し、仮置きした状態の内バケットを再度ケーシングに取り付け、移植位置で内バケットを押し出し、底板をスライドさせて底部を開放することにより、採取した繁殖床がそのままの状態で移植地上に設置される。
【００１６】
尚、内バケット全体と底板とを共通の油圧シリンダーにて動作させるようにした場合（請求項３）には、スライドアームを内バケット押出位置でケーシングに固定し、そのスライドアームに内バケットを支持させるとともに油圧シリンダーを底板にのみ連結した状態で、移植位置にて油圧シリンダーを動作させて底板をスライドさせて内バケット底部を開放することにより内部の繁殖床が移植地上に設置される。
【００１７】
またバケットの底板と底板を除く他の部分とを別々の油圧シリンダーにより動作させるようにした場合（請求項４）には、移植場所で両油圧シリンダーを押し出し側に動作させてケーシング内より内バケットを押し出し、底板用の油圧シリンダーのみを引き込み方向にスライドさせることにより底板がスライドされて内部の繁殖床が移植地上に設置される。
【００１８】
【実施の形態】
次に本発明の実施の形態を図面について説明する。
【００１９】
図１〜図１４は本発明の第１実施形態を示している。図において１はケーシングである。ケーシングは天板上に支持用ブラケット２があり、これにピンを介してバックホーの操作アーム３が連結されるようになっている。内部は空洞となっており、前端側が開放されて内バケット出入口４となっている。
【００２０】
ケーシング１の後端側には底板５上に、一対の内バケット出入動作用の油圧シリンダー６，６が、ブラケット７及びピンを介して固定されている。
【００２１】
ケーシング１には内バケット出入口４より底板５上から出入自在に内バケット１０が備えられている。内バケット１０は一対の側板１１，１１と背板１２及び底板１３とからなり、両側板１１，１１と背板１２とは一体化されているが、底板１３は他の部分に対して前後にスライド可能に取り付けられている。両側板１１，１１の上部には多数の通水孔１１ａ，１１ａ……が貫通開口されている。
【００２２】
底板１３の後端には立上がり片１４が一体に備えられ、これが背板１２の背部に立ち上げられている。立上がり片１４には図４に示すように各油圧シリンダー６，６に対応してそれぞれ連結用のブラケット１５，１５が一対づつ突設されその間に油圧シリンダー６の出入動作ロッド６ａの先端の連結金具６ｂが挿入され、この連結金具６ｂ及び両ブラケット１５，１５を貫通させて底板用止めピン１６が着脱自在に差し込まれるようになっている。
【００２３】
一方、立上がり片１４には両ブラケット１５，１５間の位置に貫通孔１７，１７が開口され、この貫通孔１７，１７に内バケット１０の背板１２の背面に突設したブラケット１８，１８が挿入されるようになっており、この両ブラケット１８，１８間に油圧シリンダー６の連結用金具６ｂが挿入され、これらを貫通させて内バケット用止めピン１９が着脱自在に差し込まれるようになっている。
【００２４】
このようにして連結用金具６ｂを各ブラケット１５，１５間及び１８，１８間に挿入し、両ピン１６，１９を共に挿入することにより内バケット１０全体が油圧シリンダー６に連結され、底板用止めピン１６のみを挿入することにより底板１３のみが油圧シリンダー６に連結されるようになっている。
【００２５】
内バケット１０に各側板１１，１１の上縁にはスライドアーム２１，２１が前後方向に向けて着脱自在に備えられている。このスライドアームは図５に示すように一対の断面コ型の型材２１ａ，２１ａを互いに間隔を隔てて背合わせにし、上面を連結板２１ｂにて互いに一体化させており、その両型材２１ａ，２１ａ間の間隙２１ｃ内に側板１１を挿入し、これらを貫通して一対の止めピン２２，２２（図１に示す）を差し込むことにより取り付けられるようになっている。
【００２６】
また各スライドアーム２１，２１は、ケーシング１に側板８と天板９からの垂下片２３間に形成されたガイド溝２４内を、前後にスライドするようになっている。
【００２７】
またスライドアーム２１，２１の後端部と側板８及び垂下片２３とを貫通して一対の止めピン２５，２５が着脱自在に差し込まれるようになっており、これによって、内バケット１０の押し出し位置でスライドアーム２１，２１をケーシング１に固定できるようになっている。
【００２８】
両スライドアーム２１，２１の前端部上には図１〜図３に示すように、シャッター３０及びその駆動機構が支持されている。即ち、両スライドアーム２１，２１の前端部上面にまたがらせて支持板３１が縦向きに固定され、その上縁の中央部分に水平方向に向けたブラケット３２に、ハンドル３３を回転することによりねじ軸３４が上下動する駆動機構を支持させ、そのねじ軸３４の下端に固定した取付金具３５に対し、止めピン３６，３６をもって取外し自在にシャッター３０が支持されている。
【００２９】
シャッター３０は板状をなし上下動することにより内バケット１０の前端開放部が開閉されるようになっている。
【００３０】
次に、この装置を使用したアマモ類の移植について説明する。
【００３１】
▲１▼株採取工程
まず採取しようとするアマモ繁殖床４０の側部に溝４１を掘削形成する。作業台船４２上にてバックホーの操作アームにケーシング１を支持させ、内バケット１０の底板１３に対し、油圧シリンダー６の連結用金具６ｂに対し両止めピン１６，１９を差し込んで背板１２及び底板１３を共に連結し、かつシャッター３０を上昇させた状態で内バケット１０をケーシング１内に収容しておく。この状態で作業台船４２上より水底にケーシング１を降ろし、内バケットの前端側をアマモ繁殖床４０側に向けた状態で溝４１内に挿入する（図８に示す）。
【００３２】
次いで図９に示すように、ケーシング１内より内バケット１０を水平に押し出す。これによって、両側板１１，１１によって縦向きに、底板１３によって横向きに繁殖床４０が押し切られる。
【００３３】
この押出後、図１０に示すようにシャッター３０を降下させることにより内バケット１０内に挿入された採取繁殖床４０ａの先端が切断され、方形状の底土とこれに生えているアマモからなる繁殖床が内バケット１０内に採取される。
【００３４】
次いで図１１に示すように、油圧シリンダー６により内バケット１０をケーシング１内に引き込み、台船４２上に持ち上げる。このとき内バケット１０内の水は通水孔１１ａ，１１ａ……より流出し、採取繁殖床４０ａの土砂が乱されることなく持ち上げられる。台船４２上では所定の仮置き場所にてケーシング１内より内バケット１０を押し出し、内バケット１０に対するスライドアーム２１と油圧シリンダー６の連結用金具６ａの連結を外し、内バケット１０内に採取繁殖床４０ａを収容した状態で仮置きする。然る後、別の空の内バケット１０をスライドアーム２１に取り付けるとともに、油圧シリンダー６を連結し前述と同様に繁殖床の採取を行う。
【００３５】
▲２▼植付け工法
上述のようにして適宜数の採取繁殖床４０ａを、内バケット１０とともに台船上に並べて仮置きし、移植地へ移動させる。植付けに際し、まず、図１２に示すようにスライドアーム２１の後端を止めピン２５によりケーシング１に固定し、この状態でケーシング１を仮置きしてある内バケット１０上に移動させ、突出しているスライドアーム２１，２１に対し止めピン２２によって側板１１を固定し、シャッター３０を降下させて前端開放部を閉じ、油圧シリンダー６の連結用金具６ｂに対し底板１３のみを止めピン１６にて連結させる。
【００３６】
この状態で所望の水底の移植位置にケーシング１とともに降下させ、底面を水底に接した状態で、図１３に示すように油圧シリンダー６により底板１３のみを引き込み、内バケット１０の底を開く。そしてケーシング１を上昇させることにより、図１４に示すように採取繁殖床４０ａが内バケット１０内より抜け出して水底に設置される。次いで台船４２上にて空の内バケット１０を外し、上述と同様にして別の仮置きされている採取繁殖床入りの内バケット１０を取り付け、上述と同様にして設置を行う。
【００３７】
次に本発明の第２実施形態を図１５について説明する。
【００３８】
この実施形態では内バケット１０の両側板１１，１１及び背板１２を動作させる油圧シリンダー５０と底板１３を動作させる油圧シリンダー５１とを、それぞれ別々に設けたものである。
【００３９】
即ち、ケーシング１の底板５の後端部に、ブラケット７により上下配置に内バケット上部動作用油圧シリンダー５０と底板動作用油圧シリンダー５１とを固定し、一方の油圧シリンダー５０の連結用金具５０ｂを、内バケット１０の背板１２に突設した一対のブラケット５２，５２間に挿入し、止めピン５３により取り外し自在に連結するようにしているとともに、他方に油圧シリンダー５１の連結用金具５１ｂを底板１３の立上がり片１４の背面に突設した一対のブラケット５４，５４間に挿入し、止めピン５５により取り外し自在に連結するようにしている。
【００４０】
他の部分は前述した第１実施形態と同じであり、これと同一部分には同一符号を付して説明を省略する。
【００４１】
この第２実施形態の装置を使用した株採取工程では両油圧シリンダー５０，５１をそれぞれ背板１２及び底板１３に連結し、ケーシング１内に内バケット１０全体を引き入れた状態でアマモ繁殖床４０の側部の溝４１に降下し、両油圧シリンダー５０，５１を共に動作させて内バケット１０を前進させ、繁殖床４０の切り取りを行う。そしてシャッター３０の降下後、両油圧シリンダー５０，５１を共に動作させてケーシング１内に内バケット１０を引き入れた後上昇させる。
【００４２】
次いで台船４２上では仮置き場所にて両油圧シリンダー５０，５１を共に動作させて内バケット１０を押し出し、両油圧シリンダー５０，５１の連結用金具５０ｂ，５１ｂを外すことによりケーシング１と分離させる。
【００４３】
また移植地における設置に際しては、両油圧シリンダー５０，５１を再度内バケット１０の背板１２及び底板１３に連結し、両油圧シリンダー５０，５１により内バケット１０をケーシング１内に引き込んだ状態で水底に降下させ、次いで内バケット１０全体を設置位置に押し出した後、底部１３のみを油圧シリンダー５１にて引き込み方向にスライドさせ底部を開放すると共にシャッター３０を上方にスライドさせて開き、油圧シリンダー５０により背面側板１１，１１及び背板１２をケーシング１内に引き込むことにより採取繁殖床４０ａが水底に設置される。
【００４４】
尚、上述の第１、第２実施形態ではアマモの移植について説明したが、この他の水性草類の移植も同様に可能であり、また水底のみならず陸上における草類の移植にも使用できる。
【００４５】
【試験例】
本発明装置を使用したアマモの移植と従来の粘土結着法、及びむしろ法による移植との地盤支持力と引抜き強度を比較したところ第１表、第２表の如くであった。
【００４６】
尚、両表中における採取後、海底設置後の数値は、自然アマモ場の値を１００とした場合の割合を示している。
【００４７】
0003697526.tif 000002
【００４８】
0003697526.tif 000003
【００４９】
【発明の効果】
上述したように本発明の草類移植装置にあっては、アマモ類等の草類株採取、植え付けの一連の移植作業を機械化したものであるため、従来の人手での作業方法と比べて作業効率が向上し、大規模な移植であっても短期間で行うことができる。また、本発明では内バケットの押し出しにより底土を乱すことなく繁殖床を採取、運搬、設置することができるため移植草類の葉体部、髭根部を含む地下茎、成長点部に損傷を与ず、生物的に健康な状態で移植がなされるとともに地盤を乱さないため地盤強度が低減せず、かつ群落単位（数株〜数十株／ｍ2程度）で移植できるため、単株移植に比較して各株の地下茎が相乗的に絡んだ状態を維持できることとなり、移植直後の潮流や波浪に対する流出などの物理的な耐性力が低減せず、しかも底土ごと移植するため底質（粒度組成、栄養分等）が変化せず移植後の地下茎の成長が良好であるとともに、土中の移植草類以外の生物（海底ではアナジャコ、ゴカイなど）も現存の状態で移植できるため、生態系的にも優しい方法である。更に移植先の設置水深が深く生息環境に適性でない場合でも、採取する底土厚さを調整することにより適正深度に制御できる。
【図面の簡単な説明】
【図１】本発明の第１実施形態を示す断面側面図である。
【図２】同上の半分を横断した横断断面図である。
【図３】同上のシャッター部分の正面図である。
【図４】同上の油圧シリンダー連結部分を示す横断面図である。
【図５】図１中のＡ−Ａ線断面図である。
【図６】図１中のＢ−Ｂ線断面図である。
【図７】図１中のＣ−Ｃ線断面図である。
【図８】第１実施形態の装置による繁殖床採取工程の略示的断面図である。
【図９】第１実施形態の装置による繁殖床採取工程の略示的断面図である。
【図１０】第１実施形態の装置による繁殖床採取工程の略示的断面図である。
【図１１】第１実施形態の装置による繁殖床採取工程の略示的断面図である。
【図１２】第１実施形態の装置による採取繁殖床設置工程の略示的断面図である。
【図１３】第１実施形態の装置による採取繁殖床設置工程の略示的断面図である。
【図１４】第１実施形態の装置による採取繁殖床設置工程の略示的断面図である。
【図１５】本発明の第２実施形態を示す縦断面図である。
【符号の説明】
１  ケーシング
２  ブラケット
３  操作アーム
４  内バケット出入口
５  底板
６  油圧シリンダー
６ａ  出入動作ロッド
６ｂ  連結用金具
７  ブラケット
８  側板
９  天板
１０  内バケット
１１  側板
１２  背板
１３  底板
１４  立上がり片
１５  ブラケット
１６  底板用止めピン
１７  貫通孔
１８  ブラケット
１９  内ブラケット用止めピン
２１  スライドアーム
２１ａ  型材
２１ｂ  連結板
２１ｃ  間隙
２２  止めピン
２３  垂下片
２４  ガイド溝
２５  止めピン
３０  シャッター
３１  支持板
３２  ブラケット
３３  ハンドル
３４  ねじ軸
３５  取付金具
３６  止めピン
４０  アマモ繁殖床
４０ａ  採取繁殖床
４１  溝
４２  作業台船
５０，５１  油圧シリンダー
５０ｂ，５１ｂ  連結用金具
５２，５４  ブラケット
５３，５４  止めピン
【図１】
0003697526.tif 000004
【図２】
0003697526.tif 000005
【図３】
0003697526.tif 000006
【図４】
0003697526.tif 000007
【図５】
0003697526.tif 000008
【図６】
0003697526.tif 000009
【図７】
0003697526.tif 000010
【図８】
0003697526.tif 000011
【図９】
0003697526.tif 000012
【図１０】
0003697526.tif 000013
【図１１】
0003697526.tif 000014
【図１２】
0003697526.tif 000015
【図１３】
0003697526.tif 000016
【図１４】
0003697526.tif 000017
【図１５】
0003697526.tif 000018